(57)【要約】【課題】壁パネルの表面にコーティング層を形成して壁パネルの付加価値を高めつつ、目地部材を介した壁パネルの支柱部材に対する安定した取付状態も確保できる浴室壁パネルの取付構造を提供する。【解決手段】支柱部材は、浴室コーナー部における壁パネルの裏側に位置する奥面部と、奥面部から壁パネル側に向けて延出する一対の側面部と、側面部の先端に続いて設けられて側面部の内側に折り曲げられ開口を隔てて対向する一対の折曲部とを有する中空柱状に形成され、壁パネルは、浴室に臨む面にコーティング層が形成された表面材の側端部を浴室に臨む面の反対面側に折り曲げられてなる突部を有し、一組の壁パネルのそれぞれの突部は、支柱部材の折曲部間の開口から支柱部材の内部に入り込み、突部間に目地部材が圧入されることで突部は目地部材と折曲部との間に嵌合し、突部と目地部材との接触部にすべり止め手段が設けられた。【選択図】図１
2008163631.tif 000002
【特許請求の範囲】
【請求項１】
浴室コーナー部で略直角に設けられる一組の壁パネルが、目地部材を介して支柱部材に取り付けられた浴室壁パネルの取付構造であって、
前記支柱部材は、前記浴室コーナー部における前記壁パネルの裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、
前記壁パネルは、前記浴室に臨む面にコーティング層が形成された表面材の側端部を前記浴室に臨む面の反対面側に折り曲げられてなる突部を有し、
前記一組の壁パネルのそれぞれの前記突部は、前記支柱部材の前記折曲部間の前記開口から前記支柱部材の内部に入り込み、前記突部間に前記目地部材が圧入されることで前記突部は前記目地部材と前記折曲部との間に嵌合し、
前記突部と前記目地部材との接触部にすべり止め手段が設けられたことを特徴とする浴室壁パネルの取付構造。
【請求項２】
前記すべり止め手段は、前記目地部材に設けられたことを特徴とする請求項１記載の浴室壁パネルの取付構造。
【請求項３】
前記目地部材における前記壁パネルの前記突部間に圧入される部分に、防水性を有すると共に弾性変形可能なシール部が設けられ、
前記すべり止め手段は、前記シール部の表面に設けられたことを特徴とする請求項２記載の浴室壁パネルの取付構造。
【請求項４】
前記すべり止め手段は、前記シール部の変形に追随して変形可能であることを特徴とする請求項３記載の浴室壁パネルの取付構造。
【請求項５】
前記すべり止め手段は、防水性を有する材料からなることを特徴とする請求項１〜４のいずれか１つに記載の浴室壁パネルの取付構造。
【発明の詳細な説明】
【技術分野】
【０００１】
本発明は、浴室コーナー部で略直角に設けられる浴室壁パネルの取付構造に関する。
【背景技術】
【０００２】
従来、浴室壁パネルの側端部を支柱部材に対して嵌合させて取り付けた構造が知られている（例えば、特許文献１参照）。浴室コーナー部においては、壁パネルは略直角に設けられ、それら壁パネル間には目地部材が打ち込まれ、この目地部材によって壁パネルが支柱部材に対して取り付けられると共に、壁パネル裏側への湯水の浸入防止がなされる。
【０００３】
そのような壁パネルにおいて、表面の防汚性を図るべく、例えば撥水性を有するコーティング層を形成した場合には、そのコーティング層がすべりやすいことから、壁パネルと目地部材との接触部分がすべりやすくなり、目地部材が外れやすくなることが懸念される。
【特許文献１】特許第２６４８０２３号公報
【発明の開示】
【発明が解決しようとする課題】
【０００４】
本発明は、壁パネルの表面にコーティング層を形成して壁パネルの付加価値を高めつつ、目地部材を介した壁パネルの支柱部材に対する安定した取付状態も確保できる浴室壁パネルの取付構造を提供する。
【課題を解決するための手段】
【０００５】
本発明の一態様によれば、浴室コーナー部で略直角に設けられる一組の壁パネルが、目地部材を介して支柱部材に取り付けられた浴室壁パネルの取付構造であって、前記支柱部材は、前記浴室コーナー部における前記壁パネルの裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、前記壁パネルは、前記浴室に臨む面にコーティング層が形成された表面材の側端部を前記浴室に臨む面の反対面側に折り曲げられてなる突部を有し、前記一組の壁パネルのそれぞれの前記突部は、前記支柱部材の前記折曲部間の前記開口から前記支柱部材の内部に入り込み、前記突部間に前記目地部材が圧入されることで前記突部は前記目地部材と前記折曲部との間に嵌合し、前記突部と前記目地部材との接触部にすべり止め手段が設けられたことを特徴とする浴室壁パネルの取付構造が提供される。
【発明の効果】
【０００６】
本発明によれば、壁パネルの表面にコーティング層を形成して壁パネルの付加価値を高めつつ、目地部材を介した壁パネルの支柱部材に対する安定した取付状態も確保できる浴室壁パネルの取付構造が提供される。
【発明を実施するための最良の形態】
【０００７】
以下、図面を参照し、本発明の実施形態について説明する。
【０００８】
図１は、本発明の実施形態に係る浴室壁パネルの取付構造を表す模式断面図である。
【０００９】
本発明の実施形態に係る浴室壁パネルの取付構造は、浴室コーナー部で略直角に設けられた一組の壁パネル３０ａ、３０ｂに対して適用されるいわゆるコーナージョイント部の取付構造である。壁パネル３０ａと壁パネル３０ｂとは、目地部材２０を介して支柱部材（コーナージョイナー）１０に対して取り付けられる。
【００１０】
支柱部材１０は、例えば長尺状の鋼板を折り曲げて中空柱状にした構造を有する。支柱部材１０は、浴室コーナー部における壁パネル３０ａ、３０ｂの裏側（浴室１００とは反対側）で両壁パネル３０ａ、３０ｂに対して離間して位置する奥面部１１と、奥面部１１から壁パネル３０ａ、３０ｂ側に向けて屈曲しつつ延出する一対の側面部１２と、それぞれの側面部１２の先端に続いて設けられて側面部１２の内側に折り曲げられた折曲部１３とを有し、これらは一体に形成されている。
【００１１】
一対の折曲部１３は、支柱部材１０の中空の内部に通じる開口５を隔てて互いに対向している。各折曲部１３は、開口５から支柱部材１０の内部に入り込んだ傾斜部１４を有する。傾斜部１４は、開口５側から支柱部材１０の内部に入るにしたがって徐々に側面部１２に近づくように傾斜している。
【００１２】
図２は、目地部材２０の模式拡大断面図である。
【００１３】
目地部材２０は、例えば硬質性の樹脂材料からなり相互に一体に設けられた頭部２１及び胴部２２を有する。胴部２２において略平行な両側面のそれぞれには、胴部２２から翼状に突出したシール部２４が設けられている。シール部２４は、防水性を有し且つ弾性変形可能な軟質材料（例えばゴム系材料）からなる。シール部２４は、頭部２１に向かうにしたがって互いの距離が大きくなるように翼状に広がっている。また、頭部２１の表面（上面）にも、防水性を有し且つ弾性変形可能な軟質材料（例えばゴム系材料）からなるシール部２３が設けられている。
【００１４】
シール部２４における胴部２２の先端側の表面、及びそのシール部２４表面から続く胴部２２先端側の表面の一部にかけての部分を覆うように、すべり止め手段２５が設けられている。すべり止め手段２５は、例えば発泡体からなり、シール部２４の変形に追随して変形可能であり、且つ防水性を有している。
【００１５】
目地部材２０の、頭部２１、胴部２２、シール部２３、２４およびすべり止め手段２５は、支柱部材１０の長さ（高さ）に合わせて、図２において紙面を貫く方向に延在している。
【００１６】
壁パネル３０ａ、３０ｂは、例えば石膏等の裏打ち材３２で裏打ちされた表面材３１を有する。表面材３１は、図３に表すように、例えば鋼板４１に樹脂層４２を接着してなり、浴室に臨む面となる樹脂層４２の表面には、コーティング層４３が形成されている。
【００１７】
コーティング層４３を表面材３１の表面に形成することで、壁パネル３０ａ、３０ｂの表面の凹凸を少なくして平滑性を高めることができる。これにより、壁パネル３０ａ、３０ｂ表面に汚れがついても落としやすくなり掃除効率が向上する。さらに、コーティング層４３は撥水性（例えば水の接触角が９０°以上）を有し、壁パネル３０ａ、３０ｂ表面に汚れがつきにくく、また汚れがついても長時間残りにくい。あるいは、親水性を有するコーティング層４３を表面材３１の表面に形成してもよく、この場合はより防汚効果が得られる。
【００１８】
表面材３１の側端部が、浴室１００に臨む面の反対面側に略「Ｊ」字状に折り曲げられることで、ばね性を有する突部３３が構成されている。突部３３は、表面材３１における浴室１００に臨む面に対して略直角に浴室１００の反対側に折り曲げられた側面部３４と、側面部３４の奥側の先端から内側に折り曲げられた奥面部３５と、奥面部３５の先端から表面材３１の裏面側に折り返された折返し部３６とを有する。
【００１９】
壁パネル３０ａ、３０ｂは、目地部材２０を介して、支柱部材１０に対して取り付けられる。
【００２０】
支柱部材１０は、浴室コーナー部で、開口５を浴室１００側に向けた状態で、洗い場床、浴槽側床パンまたは浴槽リムなどの上に立設される。
【００２１】
一対の壁パネル３０ａ、３０ｂは、浴室１００に臨む面が略直交にされ、側端部に設けられた突部３３が、支柱部材１０の折曲部１３間の開口５から支柱部材１０の内部に入り込んでいる。
【００２２】
それぞれの壁パネル３０ａ、３０ｂの突部３３の側面部３４は、支柱部材１０の内部で略直角にされ、その側面部３４から浴室１００側へと続く部分の角部３８は、互いに離間した状態で、開口５より少し奥側に入った位置で対向している。浴室コーナーに配置された一組の壁パネル３０ａ、３０ｂどうしにおいて角部３８間が最も小さな隙間となる。
【００２３】
それら角部３８間の隙間から支柱部材１０の内部に向けて、目地部材２０の胴部２２が先端側から圧入されることで、突部３３は、目地部材２０と支柱部材１０の折曲部１３との間に嵌合保持される。胴部２２の先端部にすべり止め手段を設けると、胴部２２を角部３８間に嵌合させる際にすべり止め手段が抵抗となり、また、胴部２２の先端部は、壁パネル３０ａ、３０ｂに接触せず、その先端部にすべり止め手段を設けてもすべり止めとして機能しないため、胴部２２の先端部にはすべり止め手段を設けないことが好ましい。
【００２４】
目地部材２０の胴部２２が、角部３８間の隙間に圧入されることで、その胴部２２の側面から翼状に張り出したシール部２４及びその表面に設けられたすべり止め手段２５が、胴部２２において頭部２１側の側面に向けて倒れ込むようにつぶれて角部３８及び胴部２２の両方に対して密着した状態でそれら両者間に介在される。弾性を有する材料からなるシール部２４の弾発力によって、角部３８は目地部材２０の胴部２２から遠ざかる方向に付勢され、これにより、突部３３の折返し部３８は、支柱部材１０の折曲部１３の傾斜部１４の内面に押し付けられ、さらに表面材３１において角部３８近傍部分の裏面は、折曲部１３の前端部に押し付けられる。
【００２５】
シール部２４及びすべり止め手段２５は防水性を有する材料からなり、それらシール部２４及びすべり止め手段２５が、前述した変形により、目地部材２０の胴部２２と、突部３３において浴室１００側へと続く部分である角部３８との間の隙間を埋めて、それら両者に対しての弾接密着することで、壁パネル３０ａ、３０ｂの裏側への湯水の漏れが防止される。また、目地部材２０の頭部２１表面に設けられ、弾性及び防水性を有するシール部２３の両端部が、壁パネル３０ａ、３０ｂにおいて角部３８近傍の表面に密着することによっても、壁パネル３０ａ、３０ｂの裏側への湯水の浸入が防止される。
【００２６】
なお、すべり止め手段２５は防水性を有していなくても、シール部２４が防水性を有していれば、角部３８と目地部材２０の胴部２２との隙間からの湯水の浸入は防止することができる。ただし、すべり止め手段２５も防水性を有する材料から構成した方が、コーナージョイント部における防水性をより高めることができる。
【００２７】
前述したように、壁パネル３０ａ、３０ｂに防汚性を与えるために、表面の平滑性を高めたり、撥水性を有するなどの機能を有するコーティング層４３を表面材３１に形成した場合、その表面材３１の側端部を折り曲げてなる突部３３（角部３８も含む）と、目地部材２０との接触部分がすべりやすくなり、目地部材２０が外れやすくなってしまう問題が生じることを本発明者等は知得した。
【００２８】
目地部材２０を外れにくくするために、各部材の取り合い寸法や形状の設計を変えるなどして嵌合部における嵌合力を強めることが考えられるが、例えばリモデルのときなどに目地部材２０の取り外しが困難になったり、またコーティング層４３を形成した壁パネル用に特別に設計した部品を用意することは、部品の汎用性を低下させ、さらに製造や部品管理を煩雑にし製造コストの上昇をまねく。
【００２９】
現状、生産効率を考慮して、壁パネル３０ａ、３０ｂの表面材３１は、複数枚の壁パネル分の大きさの鋼板４１に対して、一括して樹脂層４２やコーティング層４３を形成した上で、複数枚に分割し、さらに分割した表面材３１の側端部を折り曲げて突部３３を加工している。このとき、目地部材２０と接触する角部３８となるべき部分の表面にマスキングなどをしてコーティング層４３を形成しないようにすることも考えられるが、角部３８だけにコーティング層４３を形成しないまたは除去する処理をすることは、余分な工程数の増加をまねき、また分割する前の大きな鋼板の状態では、どこの部分が分割後に折り曲げられて角部３８となるかを認識するのは困難である。
【００３０】
そこで、本実施形態では、壁パネル３０ａ、３０ｂと、目地部材２０とが接触する部分に、すべり止め手段２５を設けている。具体的には、目地部材２０において、壁パネル３０ａ、３０ｂと接触する部分であるシール部２４表面に、発泡体からなるすべり止め手段２５を設けている。なお、すべり止め手段２５としては、発泡体に限らず、ゴム系材料、樹脂系材料などを用いてもよい。
【００３１】
このすべり止め手段２５を設けることで、生産性を考慮して浴室に臨む面だけでなく突部３３にいたる部分にまでコーティング層４３を形成しても、その突部３３と目地部材２０との接触部分におけるすべりを抑制することができ、目地部材２０が不所望に外れてしまうのを防ぐことができる。すなわち、本実施形態によれば、壁パネル３０ａ、３０ｂに対して表面防汚性などの付加価値を付与しつつ、目地部材２０及びその目地部材２０を介して支柱部材１０に対して取り付けられる壁パネル３０ａ、３０ｂの安定した取付状態を確保できる。
【００３２】
なお、すべり止め手段２５としては、壁パネル３０ａ、３０ｂ及び目地部材２０の少なくともいずれか一方における他方との接触部分に、例えばサンディング処理やブラスト処理、薬液処理を施して粗面化したものも含む。
【００３３】
すべり止め手段２５を硬質にしてしまうと目地部材２０の取り付け、取り外しが堅くなる（従来より過大な力を要する）ため、すべり止め手段２５は軟質、もしくは壁パネル３０ａ、３０ｂの角部３８との圧接力を受けて変形可能な材質とする必要がある。
【００３４】
すべり止め手段の具体例として、目地部材２０のシール部２４に塗布される松ヤニ等のすべり止め性を有する塗料、ペフ系の塗料、シリコンなどの接着剤系材料、また、目地部材２０（のシール部２４）と、壁パネル３０ａ、３０ｂの角部３８との接触部に当接するように介在される嵌合用の別部材などが挙げられ、このようなすべり止め手段に共通の特性として、目地部材２０のシール部２４及び壁パネル３０ａ、３０ｂの角部３８表面よりも摩擦力（具体的には表面粗さ又は接着力）が大きいということが言える。
【００３５】
また、目地部材２０と、壁パネル３０ａ、３０ｂの角部３８との間の隙間に、角部３８に嵌合する部材をすべり止め手段として介在させ、前記両者の間の隙間を小さくしてすべり止めを図ってもよい。
【００３６】
すべり止め手段は目地部材２０（シール部２４も含む）に対して別体であることに限らず、すべり止め手段と目地部材２０とを一体にした構成であってもよい。
【００３７】
例えば、目地部材２０における壁パネル３０ａ、３０ｂの角部３８との接触部であるシール部２４の厚みを、そのシール部２４よりも浴室１００側に位置するシール部２３の厚みより厚くしてすべり止め手段を構成してもよい。
【００３８】
また、目地部材２０における壁パネル３０ａ、３０ｂの角部３８との接触部の摩擦力（表面粗さ）が大きくなるように例えば凹凸を形成してすべり止め手段を構成してもよい。
【００３９】
また、目地部材２０における壁パネル３０ａ、３０ｂの角部３８との接触部であるシール部２４の摩擦力（表面粗さ又は接着力）を、浴室１００側のシール部２３よりも大きくすることですべり止め手段を構成してもよい。
【００４０】
すべり止め手段２５は、目地部材２０側に設けることに限らず、壁パネル３０ａ、３０ｂの角部３８に設けてもよい。例えば、壁パネル３０ａ、３０ｂにおける目地部材２０との接触部（角部３８）のコーティング層４３を剥がして、その接触部の表面粗さを、壁パネル３０ａ、３０ｂにおける浴室１００に面している部分（コーティング層４３が形成されている部分）の表面粗さよりも大きくすることですべり止め手段を構成してもよい。
【００４１】
ただし、折り曲げられた部分に対してすべり止め処理を施すのは作業性が悪く、また、表面材３１を分割する前の状態ですべり止め手段２５を設ける場合には、分割後にどこの部分が折り曲げられて角部３８となるのかの認識が難しく、さらに、分割後の壁パネルが浴室内で必ずしもコーナージョイント部に設けられるとは限らず、コーナージョイント部とは異なった壁パネル取付構造が採用される平ジョイント部に設けられる可能性もあるため、前述した実施形態のように、目地部材２０にすべり止め手段２５を設けることが望ましい。このようにすれば、壁パネル３０ａ、３０ｂは、今までと同じようにして汎用性の高いものを量産でき、製造コストの上昇をまねかない。
【００４２】
また、すべり止め手段２５を、シール部２４の変形に追随して変形可能な軟質材から構成すれば、目地部材２０の胴部２２を、壁パネル３０ａ、３０ｂの角部３８間に押し込むときに、無理な力を要せず今までと同等の作業性を確保でき、また壁パネル３０ａ、３０ｂを傷つけない。
【００４３】
壁パネル３０ａ、３０ｂに防汚性を付与するコーティング層４３に求められる特性の一つに表面平滑性がある。その防汚性を得るべく、コーティング層４３表面の表面粗さは、０（ｎｍ）より大きい範囲において、１．５（ｎｍ）以下、好ましくは１（ｎｍ）以下、より好ましくは０．５（ｎｍ）以下である。なお、鋼板の表面にＰＥＴ／ポリエステルのフィルムを２（ｎｍ）以上ラミネートした従来品は、本実施形態におけるコーティング層４３を形成した壁パネルより防汚性が劣っていた。
【００４４】
また、コーティング層４３が撥水性を有する場合にも、壁パネル３０ａ、３０ｂに防汚性を付与できる。そのようなコーティング層４３として、撥水性の官能基（メチル基）を有している防汚塗料を用いることができる。そのような撥水性を有するコーティング層４３における水との接触角は、１８０°より小さい範囲において、９０°以上、好ましくは１００°以上である。なお、鋼板の表面にＰＥＴ／ポリエステルのフィルムをラミネートした従来品では、水との接触角は８０°程度であり、本実施形態におけるコーティング層４３を形成した壁パネルより防汚性が劣っていた。コーティング層４３が撥水性を有する場合には、特に前述した目地部材２０との接触部におけるすべりが生じやすく、そのようなものに対して前述したすべり止め手段を適用することは特に有効となる。
【００４５】
また、コーティング層４３が親水性を有する場合にも、壁パネル３０ａ、３０ｂに防汚性を付与できる。そのようなコーティング層４３として、親水基（水酸基など）を有している防汚塗料を用いることができる。そのような親水性を有するコーティング層４３における水との接触角は、０°より大きい範囲において、２０°以下、好ましくは１０°以下である。
【図面の簡単な説明】
【００４６】
【図１】本発明の実施形態に係る浴室壁パネルの取付構造を表す模式断面図である。
【図２】図１に表す目地部材の模式拡大断面図である。
【図３】図１に表す壁パネルにおける表面材の構成を表す模式図である。
【符号の説明】
【００４７】
５…開口、１０…支柱部材、１１…奥面部、１２…側面部、１３…折曲部、２０…目地部材、２４…シール部、２５…すべり止め手段、３０ａ，３０ｂ…壁パネル、３１…表面材、３２…裏打ち材、３３…突部、４３…コーティング層、１００…浴室
【図１】
2008163631.tif 000003
【図２】
2008163631.tif 000004
【図３】
2008163631.tif 000005